(57)【要約】【課題】操作画面での複数選択の操作性を向上させる。【解決手段】情報機器は、操作に関わる複数の選択肢にそれぞれ対応する複数のアイコンを操作パネルに表示させる表示制御部と、複数のアイコンに対する複数選択の履歴を記憶する履歴記憶部とを備える。表示制御部は、履歴が示す過去に複数選択されたアイコンである複数の特定アイコンがシングルタッチ操作またはマルチタッチ操作によって複数選択し易い所定位置に配置されるように、タッチ操作のモードに応じて複数のアイコンの配列を切り替える。【選択図】図１０
2013084024.tif 000002
【特許請求の範囲】
【請求項１】
タッチ入力が可能な操作パネルを有する情報機器であって、
複数の選択肢にそれぞれ対応する複数のアイコンを前記操作パネルに表示させる表示制御部と、
前記複数のアイコンに対する複数選択の履歴を記憶する履歴記憶部と、を備え、
前記表示制御部は、
シングルタッチ操作モードにおいて、前記複数のアイコンのうちの前記履歴が示す過去に複数選択されたアイコンである複数の特定アイコンが、連続する仮想線に沿う列を当該特定アイコンのみで構成するように、前記複数のアイコンを配列し、かつ
マルチタッチ操作モードにおいて、前記複数の特定アイコンが当該特定アイコンのみで行と列とを構成するように、前記複数のアイコンを配列する
ことを特徴とする情報機器。
【請求項２】
ユーザーによるモード指定操作が行なわれた場合に、そのモード指定に従って前記シングルタッチ操作モードまたは前記マルチタッチ操作モードが設定される
請求項１記載の情報機器。
【請求項３】
タッチ入力ペンを着脱可能に支持するホルダーと、
前記ホルダーにおける前記タッチ入力ペンの有無を判別するペン状態判別部とを、さらに備え、
前記ペン状態判別部によって前記ホルダーに前記タッチ入力ペンが無いと判別された場合に前記シングルタッチ操作モードが設定され、前記タッチ入力ペンが有ると判別された場合に前記マルチタッチ操作モードが設定される
請求項１記載の情報機器。
【請求項４】
前記履歴に基づいて、シングルタッチ操作の回数がマルチタッチ操作の回数よりも多い場合に前記シングルタッチ操作モードが設定され、前記マルチタッチ操作の回数が前記シングルタッチ操作の回数よりも多い場合に前記マルチタッチ操作モードが設定される
請求項１記載の情報機器。
【請求項５】
前記表示制御部は、前記マルチタッチ操作モードにおいて、前記複数の特定アイコンを行と列とに配列する際に、当該配列の行数と列数との積よりも当該複数の特定アイコンの個数が少ない場合には、行と列とにおける少なくとも四隅を除く位置に当該複数の特定アイコンを配置する
請求項１ないし４のいずれかに記載の情報機器。
【請求項６】
前記表示制御部は、前記マルチタッチ操作モードにおいて、前記複数の特定アイコンを行と列とに配列する際に、当該配列の行数と列数との積よりも当該複数の特定アイコンの個数が少ない場合には、行と列とにおける両端行および両端列を除く位置に当該複数の特定アイコンを配置する
請求項５記載の情報機器。
【請求項７】
前記表示制御部は、前記マルチタッチ操作モードにおいて、前記複数の特定アイコンを行と列とに配列する際に、当該複数の特定アイコンの個数が設定数を超える場合には、複数個の行列に分けて当該複数の特定アイコンを配置する
請求項１ないし６のいずれかに記載の情報機器。
【請求項８】
前記表示制御部は、前記複数のアイコンのうちの前記複数の特定アイコンの一部と他のアイコンとの組が過去に選択されている場合には、前記複数の特定アイコンと前記組とに共通のアイコンを重複させて、当該複数の特定アイコンおよび当該組に属する複数のアイコンを、前記シングルタッチ操作モードまたは前記マルチタッチ操作モードである操作モードに応じて、前記仮想線に沿う列を構成するかまたは他のアイコンを含まずに行と列とを構成する配列で前記操作パネルに表示させる
請求項１ないし７のいずれかに記載の情報機器。
【請求項９】
前記表示制御部は、前記複数のアイコンのうちの前記複数の特定アイコンの一部と他のアイコンとの組が過去に複数選択されており、かつ当該複数の特定アイコンの個数に対する当該複数の特定アイコンのうちの前記組と共通のアイコンの個数の割合が設定値を超える場合、または当該共通のアイコンの個数が設定値を超える場合には、当該共通のアイコンを、前記シングルタッチ操作モードまたは前記マルチタッチ操作モードである操作モードに応じて、前記仮想線に沿う列を構成するかまたは他のアイコンを含まずに行と列とを構成する配列で前記操作パネルに表示させる
請求項１ないし７のいずれかに記載の情報機器。
【請求項１０】
タッチ入力が可能な操作パネルを有する画像形成装置であって、
複数の選択肢にそれぞれ対応する複数のアイコンを前記操作パネルに表示させる表示制御部と、
入力された識別情報に基づいてユーザーを識別するユーザー識別部と、
前記ユーザー識別部によって識別された前記ユーザーによる前記複数のアイコンに対する複数選択の履歴を記憶する履歴記憶部と、
前記履歴に基づいて、前記ユーザーによるシングルタッチ操作の回数がマルチタッチ操作の回数よりも多い場合に、前記複数のアイコンが表示された状態において前記ユーザーによってシングルタッチ操作が行なわれると判定し、前記マルチタッチ操作の回数が前記シングルタッチ操作の回数よりも多い場合に、前記複数のアイコンが表示された状態において前記ユーザーによってマルチタッチ操作が行なわれると判定するタッチ形式判定部と、を備え、
前記表示制御部は、
前記タッチ形式判定部によって前記シングルタッチ操作が行なわれると判定された場合に、前記複数のアイコンのうちの前記履歴が示す過去に複数選択されたアイコンである複数の特定アイコンが、連続する仮想線に沿う列を当該特定アイコンのみで構成するように、前記複数のアイコンを配列し、かつ
前記タッチ形式判定部によって前記マルチタッチ操作が行なわれると判定された場合に、前記複数の特定アイコンが当該特定アイコンのみで行と列とを構成するように、前記複数のアイコンを配列する
ことを特徴とする画像形成装置。
【請求項１１】
タッチ入力が可能な操作パネルを有する情報機器における操作画面の表示制御方法であって、
複数の選択肢にそれぞれ対応する複数のアイコンを表示させる際に、
シングルタッチ操作モードであれば、前記複数のアイコンのうちの過去に複数選択されたアイコンである複数の特定アイコンが、連続する仮想線に沿う列を当該特定アイコンのみで構成するように、前記複数のアイコンを配列し、
マルチタッチ操作モードであれば、前記複数の特定アイコンが当該特定アイコンのみで行と列とを構成するように前記複数のアイコンを配列する
ことを特徴とする操作画面の表示制御方法。
【請求項１２】
タッチ入力が可能な操作パネルを有する情報機器において実行されるコンピュータープログラムであって、
前記情報機器が有するコンピューターによって実行されたときに、
複数の選択肢にそれぞれ対応する複数のアイコンを前記操作パネルに表示させる表示制御部と、
前記複数のアイコンに対する複数選択の履歴を記憶する履歴記憶部と、を前記コンピューターに実現させ、
前記表示制御部は、
シングルタッチ操作モードにおいて、前記複数のアイコンのうちの前記履歴が示す過去に複数選択されたアイコンである複数の特定アイコンが、連続する仮想線に沿う列を当該特定アイコンのみで構成するように、前記複数のアイコンを配列し、かつマルチタッチ操作モードにおいて、前記複数の特定アイコンが当該特定アイコンのみで行と列とを構成するように、前記複数のアイコンを配列する
ことを特徴とするコンピュータープログラム。
【請求項１３】
タッチ入力が可能な操作パネルを有する情報機器において実行されるコンピュータープログラムであって、
前記情報機器が有するコンピューターによって実行されたときに、
複数の選択肢にそれぞれ対応する複数のアイコンを前記操作パネルに表示させる表示制御部と、
入力された識別情報に基づいてユーザーを識別するユーザー識別部と、
前記ユーザー識別部によって識別された前記ユーザーによる前記複数のアイコンに対する複数選択の履歴を記憶する履歴記憶部と、
前記履歴に基づいて、前記ユーザーによるシングルタッチ操作の回数がマルチタッチ操作の回数よりも多い場合に、前記複数のアイコンが表示された状態において前記ユーザーによってシングルタッチ操作が行なわれると判定し、前記マルチタッチ操作の回数が前記シングルタッチ操作の回数よりも多い場合に、前記複数のアイコンが表示された状態において前記ユーザーによってマルチタッチ操作が行なわれると判定するタッチ形式判定部と、
前記タッチ形式判定部によって前記シングルタッチ操作が行なわれると判定された場合に、前記複数のアイコンのうちの前記履歴が示す過去に複数選択されたアイコンである複数の特定アイコンが、連続する仮想線に沿う列を当該特定アイコンのみで構成するように、前記表示制御部に対して前記複数のアイコンの配列を指定するシングルタッチ配列指定部と、
前記タッチ形式判定部によって前記マルチタッチ操作が行なわれると判定された場合に、  前記複数の特定アイコンが当該特定アイコンのみで行と列とを構成するように、前記表示制御部に対して前記複数のアイコンの配列を指定するマルチタッチ配列指定部と、を前記コンピューターに実現させる
ことを特徴とするコンピュータープログラム。
【発明の詳細な説明】
【技術分野】
【０００１】
本発明は、操作パネルによる操作に応じた動作をする情報機器、この種の情報機器である画像形成装置、情報機器の操作のための操作画面の表示制御方法およびコンピュータープログラムに関する。画像形成装置には、複写機、プリンター、ファクシミリ装置およびこれらの機器の機能を合わせ持つＭＦＰ（Multi-functional Peripheral）が含まれる。
【背景技術】
【０００２】
ＭＦＰのような多機能化した画像形成装置は、操作入力手段としてタッチパネルを備えている。ここでいうタッチパネルは、画面表示の可能なディスプレイとタッチ式ポインティングデバイスとを組み合わせた装置である。透光性のポインティングデバイスはディスプレイの前面に密着し、タッチパネルの表面は表示面とタッチ入力面とを兼ねている。
【０００３】
画像形成装置のタッチパネルでは、ユーザーによる操作に応じて画面表示の内容が変更される。例えば、動作設定の項目を選択するための複数のキー（ボタンとも呼ばれる）を有する第１の操作画面が表示されている状態において、ユーザーがキーの一つを操作すると、操作されたキーに該当する項目の詳細な設定のための第２の操作画面が、第１の操作画面に代えて、または第１の操作画面に部分的に重なるように表示される。ユーザーは、表示された操作画面において適切に操作をすることにより、所望の動作に関係する各種の操作画面を順に表示させることができる。
【０００４】
タッチパネルによる操作に関して、指によって操作が行なわれる場合とペンを用いて操作が行なわれる場合とで、表示する操作キーのレイアウトを切り替える技術がある。特許文献１には、ペン収納部を有する携帯用の情報処理装置において、入力用ペンがペン収納部から抜き出されているときには、表示面の下部にスイッチボタンを小さく表示させ、入力用ペンがペン収納部に収納されているときには表示面の左端部または右端部にスイッチボタンを大きく表示させることが記載されている。特許文献２では、画像形成装置の操作パネルにおいて、操作パネル上に設けられたタッチペン収納部におけるタッチペンの有無を検出し、タッチペンが収納されていない場合に、ユーザーが機能を選択するための操作画面に、指で操作し辛くタッチペンで操作するのが好ましいキー群の表示を伴う機能を選択し易いように、当該機能に対応したキーを優先的に配置することが開示されている。
【０００５】
一方、近年、タッチ入力方法が多様化している。例えば、タブレット型パーソナルコンピューターやスマートフォンといったマルチメディア機能を有する情報機器は、複数の指を同時にタッチ入力面に接触させるマルチタッチ操作を受け付ける。マルチタッチ操作には、２本の指をタッチ入力面に接触させたまま指の間隔を縮める「ピンチイン」、および指の間隔を拡げる「ピンチアウト」が含まれる。ピンチインおよびピンチアウトは、表示されている画像を縮小したり拡大したりする場合に用いられる。また、１本の指またはペンを用いるシングルタッチ操作には、入力面内の一箇所を軽く叩くようにタッチして直ぐに離す最も一般的な「タップ」や少し長くタッチする「ホールド」の他に、タッチしたまま指またはペンを動かす操作（以下、これをスライドという）がある。スライドには、指を素早く振り上げるように動かす「フリック」、およびタッチ入力面をなぞるように指またはペンを動かす「ドラッグ」が含まれる。フリックは画面スクロールに用いられており、ドラッグはアイコンを移動させたり複数のアイコンを一括に選択したりするのに用いられている。
【先行技術文献】
【特許文献】
【０００６】
【特許文献１】特開２００７−１７９５０２号公報
【特許文献２】特開２００９−１７５８０２号公報
【発明の概要】
【発明が解決しようとする課題】
【０００７】
一般に、画像形成装置の操作のために用意される多数の操作画面は、複数の選択肢にそれぞれ対応する複数のアイコンが並ぶ複数の選択画面を含んでいる。そして、さらにそれら選択画面は、多数のアイコンが並びかつそれらのうちの複数個の選択（複数選択）の可能な選択画面（これをマルチ選択画面と呼称する）を含んでいる。例えば、マルチ選択画面として、記憶されている多数のドキュメントからプリントや転送などの処理の対象を選択する画面、多数ページのドキュメントのうちの処理対象ページを選択する画面、および登録された多数の宛先から送信先を選択する画面がある。マルチ選択画面では、通常、多数のアイコンが選択肢の名称に基づいて五十音順やアルファベット順に配列されている。複数のユーザーによって共用される画像形成装置では、ユーザーごとにアイコンの配列を切り替えないのであれば、誰もが理解し易い配列が好ましい。
【０００８】
あるマルチ選択画面での操作を頻繁に行うユーザーがいつも同じアイコン群を複数選択する状況を想定すると、複数選択しようとするアイコンの間に他のアイコンが存在するような配列は好ましくない。指またはペンをあちらこちらに移動しなければならず、複数選択に手間がかかるからである。特に、表示面の全域を用いても配置し切れないほどにアイコンの総数が多いために複数のページに振り分けてアイコンが配列されるマルチ操作画面において、一つずつ表示される複数のページにわたって複数選択をするのは面倒である。
【０００９】
本発明は、このような事情に鑑み、操作画面での複数選択の操作性を向上させることを目的としている。
【課題を解決するための手段】
【００１０】
上記目的を達成する情報機器は、複数の選択肢にそれぞれ対応する複数のアイコンを前記操作パネルに表示させる表示制御部と、前記複数のアイコンに対する複数選択の履歴を記憶する履歴記憶部と、を備える。前記表示制御部は、シングルタッチ操作モードにおいて、前記複数のアイコンのうちの前記履歴が示す過去に複数選択されたアイコンである複数の特定アイコンが、当該特定アイコンのみで連続する仮想線に沿う列を構成するように前記複数のアイコンを配列し、かつマルチタッチ操作モードにおいて、前記複数の特定アイコンが当該特定アイコンのみで行と列とを構成するように前記複数のアイコンを配列する。
【発明の効果】
【００１１】
本発明によれば、操作の状況に応じて操作の選択肢として表示される複数のアイコンの配列が、シングルタッチ操作に適するようにまたはマルチタッチ操作に適するように切り替えられるので、複数のアイコンを一括に選択する複数選択の操作性が向上する。
【図面の簡単な説明】
【００１２】
【図１】情報機器としての画像形成装置の外観を示す斜視図である。
【図２】画像形成装置のハードウェア構成を示すブロック図である。
【図３】画像形成装置におけるタッチ入力操作に関わる機能構成を示す図である。
【図４】タッチ入力形式の指定画面の例を示す図である。
【図５】複数選択領域を有する操作画面の一例を示す図である。
【図６】複数選択領域を有する操作画面の他の例を示す図である。
【図７】複数選択領域ではないマルチタッチ領域を有する操作画面を示す図である。
【図８】タッチ入力操作のカウントテーブルを示す図である。
【図９】複数選択領域におけるシングルタッチ操作のためのアイコン配列変更の第１例を示す図である。
【図１０】複数選択領域におけるマルチタッチ操作のためのアイコン配列変更の第１例を示す図である。
【図１１】複数選択領域におけるマルチタッチ操作のためのアイコン配列変更の第２例を示す図である。
【図１２】マルチタッチ操作による複数選択の手順の例を示す図である。
【図１３】複数選択領域におけるマルチタッチ操作のためのアイコン配列変更の第３例を示す図である。
【図１４】特定アイコン数が多い場合のマルチタッチ操作のためのアイコン配列の一例を示す図である。
【図１５】特定アイコン数が多い場合のマルチタッチ操作のためのアイコン配列の他の例を示す図である。
【図１６】特定アイコンの一部を重複させるアイコン配列の例を示す図である。
【図１７】特定アイコンをグループ分けするアイコン配列の例を示す図である。
【図１８】アイコン配列を切り替える画像形成装置の動作を示すフローチャートである。
【図１９】図１８のマルチタッチ配列処理のフローチャートである。
【発明を実施するための形態】
【００１３】
図１に例示される画像形成装置１は、コピーおよびネットワークプリンティングを含む多様な用途をもつＭＦＰと呼ばれる情報機器である。画像形成装置１は、例えば企業のオフィスに構築されたＬＡＮ(Local Area Network)８に接続され、パーソナルコンピューターやサーバーといった情報処理装置とのデータ通信および外部の通信装置とのファクシリ通信が可能である。画像形成装置１は、外部装置からのアクセスおよび筐体上部の前側に配置された操作パネル１０による操作に従って動作する。本実施形態の操作パネル１０にはタッチ入力ペン１３が装着される。
【００１４】
画像形成装置１に所望の処理を実行させたいユーザーはユーザー認証を受ける必要がある。例示の画像形成装置１では、操作パネル１０の近傍に認証デバイス１５としてＩＣカードから情報を非接触で読み取るカードリーダーが設けられている。画像形成装置１を共用する複数のユーザーには、それぞれの識別情報を記憶するＩＣカードがユーザーカードとして予め配布される。各ユーザーは、所持している自分用のユーザーカードを認証デバイス１５に近づけることによってユーザー認証を受けることができる。
【００１５】
図２のように、操作パネル１０はタッチパネル１２およびペンホルダー１４を備える。タッチパネル１２は、操作画面を表示するディスプレイとその表示面に密着する透光性のタッチ入力デバイスとから構成される。タッチ入力デバイスからの信号を処理するユーザーインタフェースは、ユーザーが指またはタッチ入力ペン１３を用いて行うシングルタッチ操作を受け付けるとともに、所定の操作画面が表示されている状態でのマルチタッチ操作を受け付ける。ペンホルダー１４はタッチ入力ペン１３を着脱可能に支持する。ペンホルダー１４はタッチ入力ペン１３の有無に応じた検出信号を出力するセンサー１４１を有している。
【００１６】
画像形成装置１の全体制御を担うメインコントローラー２０は、制御プログラムや各種アプリケーションを実行するコンピューターとしてのＣＰＵ（central processing unit）２１、制御プログラムを記憶するＲＯＭ（Read Only Memory）２２、プログラム実行のワークエリアとされるＳ−ＲＡＭ（Static Random Access Memory）２３、および動作の設定値を記憶するバッテリバックアップされたＮＶ−ＲＡＭ（不揮発性メモリ）２４を有する。
【００１７】
ＡＤＦ(Auto Document Feeder)３２は、原稿台を有しており、コピー、イメージ入力、またはファクシミリ送信において、原稿台にセットされた原稿シートをイメージスキャナー３３の読取り位置へ搬送する。イメージスキャナー３３は原稿シートに記録されている画像情報を光学的に読み取る。エンジンコントローラー３４は、プリンターエンジン３５の動作を制御する。プリンターエンジン３５は、多段式の用紙スタッカー３６から供給される用紙の片面または両面に電子写真法によってモノクロまたはカラーの画像をプリントする。ファクシミリユニット３７は、図示しない電話回線またはＬＡＮ８を用いるファクシミリ送受信のためのデータ処理を担う。通信インタフェース３８は画像形成装置１をＬＡＮ８に接続する。ストレージ３９はハードディスクドライブ（ＨＤＤ）のような大容量記憶デバイスである。ストレージ３９には、制御プログラムや操作画面の表示のための画面データを含む制御用のデータを記憶する媒体としてのメモリ領域が設けられている。ストレージ３９に格納されているデータやプログラムは必要に応じてワークエリアにロードされる。
【００１８】
このようなハードウェア構成をもつ画像形成装置１におけるタッチ入力操作に関わる機能構成が図３に示されている。図３のように、画像形成装置１は、ユーザー識別部２０１、履歴記憶部２０２、表示制御部２０３、タッチ形式判定部２０４、シングルタッチ配列指定部２０５、マルチタッチ配列指定部２０６、およびペン状態判別部２０７を有している。これらの構成要素は、メインコントローラー２０に実装されたコンピューターとしてのＣＰＵ２１がプログラムを実行することによって実現される。
【００１９】
ユーザー識別部２０１は、認証デバイス１５から入力される識別情報に基づいて、画像形成装置１を使用しようとする認証された現在のユーザーを識別する。ユーザー識別部２０１は履歴記憶部２０２およびタッチ形式判定部２０４に現在のユーザーを通知する。
【００２０】
履歴記憶部２０２は、表示制御部２０３と連携してユーザーによる操作の履歴を記憶する。履歴記憶部２０２によってユーザーごとの複数選択の履歴を示す履歴情報Ｄ１が作成され、履歴情報Ｄ１はＮＶ−ＲＡＭ２４またはストレージ３９によって記憶される。
【００２１】
表示制御部２０３は、画面画像データＤ２を用いてタッチパネル１２に操作画面を表示させ、ユーザーが行う操作に応じて表示の内容を切り替える。表示制御部２０３が表示させる各種の操作画面には、複数選択領域を有するマルチ選択画面が含まれる。表示制御部２０３は画面画像データＤ２に含まれる描画パーツを組み合わせて操作画面を構成する。その際、マルチ選択画面の複数選択領域には、操作に関わる複数の選択肢にそれぞれ対応する複数のアイコンが、五十音順やアルファベット順といった標準の順序、またはユーザーごとにカスタマイズした順序で配列される。
【００２２】
タッチ形式判定部２０４は、ユーザー識別部２０１によって識別されたユーザーが、マルチ選択画面の表示された状態においてシングルタッチ操作を行うかマルチタッチ操作を行うかを、マルチ選択画面の表示に際して、予め定められた判定用の情報に基づいて判定する。判定用の情報は、ユーザーが指定した操作方法（タッチ形式）を示す動作設定情報Ｄ３、ペン状態判別部２０７から入力されるタッチ入力ペン１３の有無の判別結果を示すペン状態情報Ｄ４、および履歴記憶部２０２から入力されるユーザーの操作履歴を示す履歴情報Ｄ１のうちの現在のユーザーに対応する情報である。このタッチ形式判定部２０４による判定によってタッチ操作に関わる操作モードが決まる。シングルタッチ操作を行うと判定されると、操作モードはシングルタッチ操作モードとなり、マルチタッチ操作を行うと判定されると、操作モードはマルチタッチ操作モードとなる。言い換えれば、タッチ形式判定部２０４は、シングルタッチ操作モードまたはマルチタッチ操作モードを択一的に設定する操作モード設定手段として機能する。
【００２３】
タッチ形式判定部２０４による判定は、図４に例示されるタッチ入力形式の指定画面Ｗ１０での指定内容がＮＶ−ＲＡＭ２４またはストレージ３９に格納されている場合には、その指定内容に従う。すなわち、キー１０５のタップによってシングルタッチ操作が指定されている状態では、タッチ形式判定部２０４はユーザーがシングルタッチ操作を行うと判定し、キー１０６のタップによってマルチタッチ操作が指定されている状態では、タッチ形式判定部２０４はユーザーがマルチタッチ操作を行うと判定する。なお、指定画面Ｗ１０での指定内容は、ユーザーごとに記憶される。
【００２４】
一方、指定画面Ｗ１０での指定内容が格納されていない場合（ユーザーが指定をしていない場合）、タッチ入力ペン１３がユーザー認証後に取り外されてペンホルダー１４に無ければ、タッチ形式判定部２０４はユーザーがシングルタッチ操作を行うと判定する。また、指定画面Ｗ１０での指定内容が格納されておらずかつタッチ入力ペン１３がペンホルダー１４に有る場合には、タッチ形式判定部２０４は履歴情報Ｄ１に基づいて、シングルタッチ操作およびマルチタッチ操作のうちのユーザーが過去により多く行なった方の操作を行うと判定する。すなわち、表示しようとしている操作画面が過去に表示されたときに、シングルタッチ操作が多く行なわれておれば、ユーザーがシングルタッチ操作を行うと判定され、マルチタッチ操作が多く行なわれておれば、ユーザーがマルチタッチ操作を行うと判定される。
【００２５】
シングルタッチ配列指定部２０５は、タッチ形式判定部２０４によってシングルタッチ操作が行なわれると判定された場合に、表示制御部２０３に対して、マルチ選択画面の複数選択領域におけるアイコンの配列をシングルタッチ操作に適した配列とするよう指示を与える。本実施形態におけるシングルタッチ操作に適した配列とは、複数選択領域に配置される複数のアイコンのうちの現在のユーザーによって過去に複数選択されたアイコンである複数の特定アイコンが、連続した仮想線に沿う列を当該特定アイコンのみで構成するように並ぶ配列である。
【００２６】
マルチタッチ配列指定部２０６は、タッチ形式判定部２０４によってマルチタッチ操作が行なわれると判定された場合に、表示制御部２０３に対して、マルチ選択画面の複数選択領域におけるアイコンの配列をマルチタッチ操作に適した配列とするよう指示を与える。マルチタッチ操作に適した配列とは、複数選択領域に配置される複数のアイコンのうちの現在のユーザーによって過去に複数選択されたアイコンである複数の特定アイコンが、当該特定アイコンのみで行と列とを構成する位置に配置される配列である。
【００２７】
以下、マルチ選択画面におけるアイコン配列の切替えについてさらに詳しく説明する。
【００２８】
図５はマルチ選択画面の一例を示している。図５において、タッチパネル１２によって表示面のほぼ全域にわたる宛先選択画面Ｗ１が表示されている。ファクシミリモードを指定する操作に呼応して表示される宛先選択画面Ｗ１はマルチ選択画面であるので、当然ながら複数選択領域４０を有している。複数選択領域４０には、予め登録されている通信先を示す所定サイズの四角形のアイコンが宛先の選択肢として表示される。図示の例において、同時に表示可能なアイコンの数は１５であり、複数選択領域４０には四つのアイコン４１，４９，５３，５５を含む計１５個のアイコンが３行５列に並べて表示されている。図５の状態におけるアイコン配列順序は、各アイコンに対応する通信先の名称に基づく五十音順である。標準順序の一つである五十音順および他の標準順序であるアルファベット順では、第１行から行ごとに左から右へと最上位のアイコンから降順にアイコンが並ぶ。このように表示されたアイコンにタップすることによりユーザーは宛先を選択することができる。ファクシミリ通信に際しては複数の通信先に同時に送信する同報通信が可能であるので、宛先選択画面Ｗ１において複数のアイコンを選択する複数選択の行なわれる場合がある。図５では、上述の四つのアイコン４１，４９，５３，５５の複数選択が行なわれ、これらアイコン４１，４９，５３，５５がその輪郭を太くする強調表示によって他のアイコンと区別されている。
【００２９】
図６はマルチ選択画面の他の例を示している。図６において、グレーアウト表示された操作画面Ｗ２に部分的に重なるように対象選択画面Ｗ３が表示されている。対象選択画面Ｗ３は操作画面Ｗ２において所定の操作が行なわれたときにポップアップ表示されるマルチ選択画面である。対象選択画面Ｗ３の複数選択領域８０には、指定された文書が有する複数のページのサムネイルがページ選択の選択肢を示すアイコンとして表示される。配列順序はページ番号の昇順である。図示では六つのアイコン８１，８２，８６，８８，９１，９５を含む計１５個のアイコンが編集対象の選択肢として３行５列に並べて表示されている。ユーザーはアイコンをタップして所望のページを選択した後に、キー９６，９７，９８のいずれかをタップすることにより、選択したページを削除したり回転させたり移動させたりすることができる。また、ユーザーはキー９９のタップによってプレビュー画面を表示させ、選択したページの画像を確認することができる。この対象選択画面Ｗ３では、複数のページが一括処理の対象として選択されることがしばしばある。
【００３０】
図７はプレビュー画面Ｗ４の例を示している。プレビュー画面Ｗ４は複数選択領域ではないマルチタッチ領域であるプレビュー領域１００を有する。プレビュー領域１００にはユーザーが指定したページの内容を示す画像Ｇ１が配置される。ユーザーはプレビュー領域１００においてマルチタッチ操作であるピンチアウトおよびピンチインを行うことにより、画像Ｇ１を拡大させたり縮小させたりすることができる。また、ユーザーは、プレビュー領域１００の右方に配置されているキー１０１，１０２のシングルタッチ操作（タップまたはホールド）によっても画像Ｇ１を拡大させたり縮小させたりすることができる。キー１０３をタップすると、表示される画面はプレビュー画面Ｗ４から図６の対象選択画面Ｗ３に戻る。
【００３１】
図８は履歴情報Ｄ１の一部として記憶されるカウントテーブルＴ１のデータ構成を示している。カウントテーブルＴ１では、ユーザーごとにかつマルチ選択画面ごとにカウントされたシングルタッチ操作の回数およびマルチタッチ操作の回数の累積が記録される。上述のタッチ形式判定部２０４は、必要に応じてカウントテーブルＴ１を参照し、表示制御部２０３によって表示されようとしている画面に対応するカウント回数に応じて、上述のようにユーザーがシングルタッチ操作を行うかマルチタッチ操作を行うかを判定する。
【００３２】
図９はシングルタッチ操作のためのアイコン配列変更の第１例を示している。詳しくは、図９（Ａ）は標準順序の配列において複数のアイコンの選択された状態を示し、図９（Ｂ）はシングルタッチ操作に適したアイコン配列を示し、図９（Ｃ）はシングルタッチ操作による複数選択の要領を示している。図中の斜線の付された四角形は複数選択されたアイコンである（以降の図においても同様）。
【００３３】
図９（Ａ）において、複数選択領域は１ページずつ表示される２以上のページで構成され、第１のページ４０１と第２のページ４０２とにそれぞれ３行５列に並べて１５個ずつ四角形のアイコンが配列されている。配列順序は標準順序（例えば五十音順）である。第１のページ４０１では１行目のアイコン４２、２行目のアイコン４９、および３行目のアイコン５２，５４が選択され、第２のページ４０２では２行目のアイコン６１，６４が選択されている。このような複数選択に際して、ユーザーはページを切替えなければならず、選択に手間がかかる。そこで、複数選択の操作性を高めるため、以降に当該複数選択領域を含む操作画面を再び表示する際には、その時点より以前に複数選択されたアイコンである特定アイコン（ここではアイコン４２，４９，５２，５４，６１，６４）が図９（Ｂ）のように配列される。
【００３４】
図９（Ｂ）において、六つの特定アイコン４２，４９，５２，５４，６１，６４は、第１のページ４０１における１行目の全列および２行目の先頭列に配置される。第１のページ４０１には特定アイコン以外のアイコンも配置され、ページ全体ではアイコンが３行５列に並ぶ。ここで、配列の特徴は、特定アイコンが一点鎖線矢で示される仮想線Ｌ１に沿って並ぶことである。本例では特定アイコンが２行に配置されるので屈曲しているが、仮想線Ｌ１は連続する１本の線である。
【００３５】
仮想線Ｌ１に沿って特定アイコンが並ぶ配列は、シングルタッチ操作によって特定アイコン４２，４９，５２，５４，６１，６４を再び複数選択するのに適している。つまり、図９（Ｃ）のように、例えば指Ｆ１で２行目の特定アイコン６４にタッチし、入力面にタッチしたままた指Ｆ１を１行目の特定アイコン４２まで移動させ、続いてタッチしたまま行に沿って最終列の特定アイコン６１まで指Ｆ１を移動させる。ユーザーは、この一筆書きの要領で全ての特定アイコン４２，４９，５２，５４，６１，６４を素早く複数選択することができる。
【００３６】
図１０はマルチタッチ操作のためのアイコン配列変更の第１例を示している。詳しくは、図１０（Ａ）は図９（Ａ）と同一の状態を示し、図１０（Ｂ）はマルチタッチ操作に適したアイコン配列の例を示している。
【００３７】
図１０（Ａ）のように選択されたアイコン４２，４９，５２，５４，６１，６４は、以降に当該複数選択領域を含む操作画面を再び表示する際に、特定アイコン４２，４９，５２，５４，６１，６４として図１０（Ｂ）のように配置される。図１０（Ｂ）の配列の特徴は、特定アイコンが当該特定アイコンのみで行と列とを構成する位置に配置されることである。行数および列数は、これらの積が特定アイコン数と同一かまたは特定アイコン数よりも多くかつ最も特定アイコン数に近い値となるように選定される。複数の選定候補があるときは、行列の対角距離の小さいものが選ばれる。
【００３８】
図１０（Ｂ）において、特定アイコン４２，４９，５２，５４，６１，６４は、第1のページ４０１内の３行５列の配列のうちの左端の３行２列の位置に集めて配置されている。この例での特定アイコン数は６であるので、特定アイコン４２，４９，５２，５４，６１，６４はちょうど３行２列に収まる。
【００３９】
図１１はマルチタッチ操作のためのアイコン配列変更の第２例を示している。詳しくは、図１１（Ａ）は標準順序の配列において複数のアイコンが選択された状態を示し、図１１（Ｂ）は図１１（Ａ）に対応するマルチタッチ操作に適したアイコン配列の例を示している。
【００４０】
図１１（Ａ）において、第１のページ４０１の１行目のアイコン４１，４３，４４、２行目のアイコン５０、および３行目のアイコン５３が選択されている。このような複数選択に際して、ユーザーはページを切替える必要はない。しかし、ページ４０１内のあちらこちらに指またはタッチ入力ペンを動かさなければならず、選択に相応の手間がかかる。そこで、複数選択の操作性を高めるため、以降に当該複数選択領域を含む操作画面を再び表示する際には、アイコン４１，４３，４４，５０，５３が特定アイコンとして図１１（Ｂ）のように配列される。
【００４１】
図１１（Ｂ）において、特定アイコン４１，４３，４４，５０，５３は、図１０（Ｂ）と同様にページ４０１内の左端の３行２列の位置に集めて配置されている。この例での特定アイコン数は５であって、３行２列における行数と列数との積よりも一つ少ない。この場合、“特定アイコンのみで行と列とを構成する”という制約を満たすため、行列の六つのアイコン配置位置の一つが空白とされる。そして、その空白は行列の四隅以外の位置とされる。例示では行数が３であるので、四隅以外の位置は２行目の位置となる。空白を四隅以外とすることにより、ページ４０１内に表示される全アイコンのうちの特定アイコンの集まりの範囲がユーザーにとって理解し易くなる。
【００４２】
図１２はマルチタッチ操作による複数選択の手順の例を示している。詳しくは、図１２（Ａ）は選択操作開始前の複数操作領域の状態を示し、図１２（Ｂ）および（Ｃ）は選択途中のユーザーの動作を示し、図１２（Ｄ）は選択操作終了時の複数操作領域の状態を示している。
【００４３】
図１２（Ａ）のように３行２列に配置された六つの特定アイコン４２，４９，５２，５４，６１，６４を複数選択するとき、ユーザーは例えば図１２（Ｂ）のように２行目辺りを２本の指Ｆ１，Ｆ２でタッチする。続いてユーザーは２箇所のタッチ位置を対角の頂点とする仮想の矩形が図１２（Ｃ）のように六つの特定アイコン４２，４９，５２，５４，６１，６４の全てに重なるように指Ｆ１，Ｆ２の間隔を拡げるピンチアウトを行う。これにより、六つの特定アイコン４２，４９，５２，５４，６１，６４が複数選択される。
【００４４】
図１３はマルチタッチ操作のためのアイコン配列変更の第３例を示している。詳しくは、図１３（Ａ）は標準順序の配列において複数のアイコンが選択された状態を示し、図１３（Ｂ）はマルチタッチ操作に適したアイコン配列を示している。
【００４５】
図１３（Ａ）において、複数選択領域を構成する第１のページ４０１と第２のページ４０２とにそれぞれ３行５列に並べて１５個ずつアイコンが配列されている。そして、計３０個のアイコンのうち、第１のページ４０１のアイコン４２，４９，５２，５３，５４と第２のページ４０２のアイコン５７，５８，６１，６４，６５，６７とが複数選択されている。これら計１１個のアイコン４２，４９，５２，５３，５４，５７，５８，６１，６４，６５，６７が特定アイコンとして図１３（Ｂ）のように配列される。
【００４６】
図１３（Ｂ）において、特定アイコン４２，４９，５２，５３，５４，５７，５８，６１，６４，６５，６７は、ページ４０１内の左端の３行４列の位置に集めて配置されている。この例での特定アイコン数が１１であって、３行４列における行数と列数との積よりも一つ少ない。この場合も、“特定アイコンのみで行と列とを構成する”という制約を満たすため、行列の１２個のアイコン配置位置の一つが空白とされる。そして、その空白は行列における両端行および両端列を除く位置、すなわち対角のアイコン配置位置を頂点とする四角形（矩形）の４辺に対応する位置以外のアイコン配置位置とされる。例示では行数が３であり列数が４であるので、４辺に対応しない位置は２行目のうちの２列目および３列目の位置となる。例示では２行目の３列目の位置が空白とされている。このように空白を特定アイコンで囲むことにより、ページ４０１内に表示される全アイコンのうちの特定アイコンの集まりの範囲がユーザーにとって理解し易くなる。
【００４７】
図１４および図１５は特定アイコン数が多い場合のマルチタッチ操作のためのアイコン配列の例を示している。行数または列数が大き過ぎると、行列の対角距離が長くて片手でのマルチタッチ操作がし辛い。そこで、多数の特定アイコンをマルチタッチ操作に適するように配列する場合、多数の特定アイコンを複数の行列に分けて配列する。図１４の例では、計２１個の特定アイコン４１,４２，…，５５，５６，…，６０，６１のうち、１５個の特定アイコン４１,４２，…，５４，５５は第１のページ４０５の左端部に３行５列に配列され、その行列と１列を隔てた３行２列に残りの六つの特定アイコン５６，５７，…６０，６１が配列されている。図１５の例では、計２１個の特定アイコン４１,４２，…，５５，５６，…，６０，６１のうち、１５個の特定アイコン４１,４２，…，５４，５５は第１のページ４０５の左端部に３行５列に配列され、残りの六つの特定アイコン５６，５７，…６０，６１は第２のページ４０６の左端部に３行２列に配列されている。図１５の例の場合、ページを切替える必要はあるが、各ページ４０５，４０６において特定アイコンが集まっているので、各ページ４０５，４０６内のあちらこちらに配置されるのと比べると、２１個の特定アイコンの複数選択を素早く行うことができる。
【００４８】
図１６は特定アイコンの一部を重複させるアイコン配列の例を示している。詳しくは、図１６（Ａ）は１回目の複数選択における選択状態を示し、図１６（Ｂ）は２回目の複数選択における選択状態を示している。そして、図１６（Ｃ）は図１６（Ａ）および（Ｂ）に対応するシングルタッチ操作に適したアイコン配列の例を示し、図１６（Ｄ）は図１６（Ａ）および（Ｂ）に対応するマルチタッチ操作に適したアイコン配列の例を示している。
【００４９】
同じマルチ選択画面で回ごとに選択内容の異なる複数回の複数選択の行なわれることがある。図１６（Ａ）では第１のページ４０１のアイコン４２，４９，５２，５４と第２のページ４０２のアイコン６１，６４が選択され、図１６（Ｂ）では第１のページ４０１のアイコン４２，５６と第２のページ４０２のアイコン５７，５８が選択されている。図１６（Ａ）と（Ｂ）とを見比べて判るように、１回目の複数選択と２回目の複数選択とで一つのアイコン４２が共通に選択されている。上述のとおり、標準順序の配列からシングルタッチ操作用の配列またはマルチタッチ操作用の配列に切替える際には、一つのジョブのために複数選択された一組の特定アイコンが隣り合うように集めて配列される。この図１６の例のように複数のジョブ間で共通に選択された特定アイコンがあり、その個数が比較的に少ない場合、または一組の特定アイコン数に対する共通に選択された特定アイコンの個数の割合が所定値（例えば１／４）より小さい場合には、図１６（Ｃ）および（Ｄ）のように、共通に選択された特定アイコンが複数の位置に重複配置される。
【００５０】
図１６（Ｃ）において、１回目の複数選択に対応する六つの特定アイコン４２，４９，５２，５４，６１，６４は図９の例と同様に屈曲した仮想線Ｌ１に沿うように１行目と２行目の先頭列とに配列されている。そして、２回目の複数選択に対応する四つの特定アイコン４２，５５，５７，５８は仮想線Ｌ２に沿うように２行目の２列目から４列目に配列されている。共通に選択された特定アイコン４２は、１行目の先頭列と２行目の２列目とに重複させて配置されている。
【００５１】
図１６（Ｄ）において、１回目の複数選択に対応する六つの特定アイコン４２，４９，５２，５４，６１，６４は図１０の例と同様にページ４０１の左端部に３行２列に配列され、その行列の右隣りに、２回目の複数選択に対応する四つの特定アイコン４２，５５，５７，５８が２行２列に配列されている。共通に選択された特定アイコン４２は、１行目の先頭列と３列目とに重複させて配置されている。
【００５２】
図１７は特定アイコンをグループ分けするアイコン配列の例を示している。詳しくは、図１７（Ａ）は１回目の複数選択における選択状態を示し、図１７（Ｂ）は２回目の複数選択における選択状態を示している。そして、図１７（Ｃ）は図１７（Ａ）および（Ｂ）に対応するシングルタッチ操作に適したアイコン配列の例を示し、図１７（Ｄ）は図１７（Ａ）および（Ｂ）に対応するマルチタッチ操作に適したアイコン配列の例を示している。
【００５３】
図１７（Ａ）では第１のページ４０１のアイコン４２，４９，５２，５４と第２のページ４０２のアイコン６１，６４が選択され、図１７（Ｂ）では第１のページ４０１のアイコン４２，４９，５２，５４と第２のページ４０２のアイコン６１，６５が選択されている。図１７（Ａ）と（Ｂ）とを見比べて判るように、１回目の複数選択と２回目の複数選択とで五つのアイコンン４２，４９，５２，５４，６１が共通に選択されている。このように共通に選択されたアイコンの数が所定値（例えば３個）より多い場合、または各回の特定アイコン数に対する共通に選択された特定アイコン数の割合が所定値（例えば１／４）より大きい場合、共通に選択されたアイコンを重複させると、冗長になり過ぎてユーザーがどこからどこまで選べばよいのか迷うおそれがある。そこで、このような場合には、共通に選択された特定アイコンとそうではない特定アイコンとのグループ分けが行なわれる。すなわち、複数回の複数選択のいずれかで選択された特定アイコンは、共通グループと回ごとに細分化される個別グループとのいずれかにグループ分けされる。
【００５４】
図１７（Ｃ）では、共通グループに属する五つの特定アイコン４２，４９，５２，５４，６１は１行目に配列されている。そして、個別グループに属する１回目の複数選択のみで選択された一つの特定アイコン６４は２行目の先頭列に配置され、２回目の複数選択のみで選択された一つの特定アイコン６５は２行目の最終列に配置されている。図１７（Ｃ）の状態で、ユーザーが１回目の複数選択と同じ六つのアイコン４２，４９，５２，５４，６１，６４を再び複数選択するには、例えば特定アイコン６４から特定アイコン４２を経て特定アイコン６１へ至るように仮想線Ｌ１に沿って指を移動させるシングルタッチ操作を行なえばよい。特定アイコン６１から特定アイコン６４への経路を辿ってもよい。また、ユーザーが２回目の複数選択と同じ六つのアイコン４２，４９，５２，５４，６１，６５を再び複数選択するには、例えば特定アイコン４２から特定アイコン６１を経て特定アイコン６５へ至るように仮想線Ｌ３に沿って指を移動させるシングルタッチ操作を行なえばよい。特定アイコン６５から特定アイコン４２への経路を辿ってもよい。
【００５５】
図１７（Ｄ）では、共通グループに属する五つの特定アイコン４２，４９，５２，５４，６１はページ４０１の左端部に一つの空白を含めて３行２列に配列されている。そして、個別グループに属する１回目の複数選択のみで選択された一つの特定アイコン６４は１行目の３列目に配置され、２回目の複数選択のみで選択された一つの特定アイコン６５は１行目の４列目に配置されている。図１７（Ｄ）の状態で、ユーザーが１回目の複数選択と同じ六つのアイコン４２，４９，５２，５４，６１，６４を再び複数選択するには、例えばピンチアウトによる３行２列の選択と特定アイコン６４のタップとを行なえばよい。また、ユーザーが２回目の複数選択と同じ六つのアイコン４２，４９，５２，５４，６１，６５を再び複数選択するには、例えばピンチアウトによる３行２列の選択と特定アイコン６５のタップとを行なえばよい。
【００５６】
図１８はアイコン配列を切り替える画像形成装置１の動作の概略を示すフローチャートである。
【００５７】
表示制御部２０３は、複数選択領域を有する操作画面であるマルチ選択画面をタッチパネル１２に表示させるとき（Ｓ１０でＹＥＳ）、その旨をマルチ選択画面の表示に先立ってタッチ形式判定部２０４に通知する。通知を受けたタッチ形式判定部２０４は、動作設定情報Ｄ３、ペン状態情報Ｄ４、および現在のユーザーによる操作の履歴情報Ｄ１を判定用の情報として取得する（Ｓ１１）。
【００５８】
表示制御部２０３は、履歴情報Ｄ１に基づいて、表示させようとしているマルチ選択画面における共通グループに属する特定アイコンの個数または１回の複数選択数に対する割合が所定値以上かどうかをチェックする（Ｓ１２）。共通に選択された特定アイコンの個数または割合がそれに対応する所定値以上であるとき（Ｓ１２でＹＥＳ）、表示制御部２０３は、図１７の例のように特定アイコンをグループ分けする表示設定を行う（Ｓ１３）。また、共通に選択された特定アイコンの個数または割合がそれに対応する所定値よりも少ない場合（Ｓ１２でＮＯ）、表示制御部２０３は、複数選択が行なわれる都度に記録された各回の複数選択にそれぞれ対応する複数の特定アイコンの組を図１６の例のように組ごとに集めて並べる表示設定を行う（Ｓ１４）。
【００５９】
タッチ形式判定部２０４による判定の結果が、「ユーザーはシングルタッチ操作を行う」であれば、表示制御部２０２はシングルタッチ操作に適した配列で特定アイコンを表示させるシングルタッチ配列処理を実行する（Ｓ１５，Ｓ１６）。タッチ形式判定部２０４による判定の結果が、「ユーザーはマルチタッチ操作を行う」であれば、表示制御部２０２はマルチタッチ操作に適した配列で特定アイコンを表示させるマルチタッチ配列処理を実行する（Ｓ１５，Ｓ１７）。
【００６０】
図１９は図１８のマルチタッチ配列処理のフローチャートである。表示制御部２０２は、
表示させるべき特定アイコンが矩形を形成する行列にちょうど収まる場合、すなわち特定アイコンの個数が行数と列数との積と一致する行列が存在する場合（Ｓ１７１でＹＥＳ）、そのような行列を構成するように特定アイコンを配列する（Ｓ１７２）。特定アイコンが行列にちょうど収まらない場合（Ｓ１７１でＮＯ）、表示制御部２０２は、特定アイコン数が空白を囲むのに十分な数であれば（Ｓ１７３でＹＥＳ）、特定アイコンで囲まれる内部に空白を有する行列を構成するように特定アイコンを配列する（Ｓ１７４）。行列の内部に空白を配置するのが可能でなければ（Ｓ１７３でＮＯ）、四隅以外に空白を有する行列に特定アイコンを配列する（Ｓ１７５）。
【００６１】
以上の実施形態において、マルチタッチ操作に適するように特定アイコンを配列する場合の行列の最大行数は例示の３に限らない。複数選択領域４０，８０のサイズやアイコンサイズに応じて行数が４以上の行列に特定アイコンを配列することができる。行列は複数行１列のものおよび１行複数列のものを含む。空白を設ける場合の行列は３行以上かつ３列以上の行列である。
【００６２】
シングルタッチ操作およびマルチタッチ操作のそれぞれの回数をカウントする際、図５の宛先選択画面Ｗ１や図６の対象選択画面Ｗ３のようなマルチ選択画面を図７のプレビュー画面Ｗ４のようなマルチ選択画面ではないがマルチタッチ操作が可能な画面よりも重要視する重み付けを行なってもよい。なお、マルチ選択画面の他の例として、複数の文書をまとめて印刷したり送信したりする際の文書選択画面がある。
【００６３】
ユーザー認証に関わるユーザーカードはＩＣカードに限らず、磁気カードや光学読取式のカードであってもよい。ユーザーカードによる認証とパスワードのような認証情報の手入力による認証とを併用したり、これら二種の認証のいずれかを選択するようにしたり、認証情報の手入力による認証のみ可能にしたりする変形もある。指紋や静脈といった生体情報を読み取るセンサーを認証デバイス１１として用いてもよい。認証の手法は任意である。また、例えば単一のユーザーのみが使用する使用状況では、認証デバイス１５およびユーザー認証処理を省略することができる。
【００６４】
画像形成装置１はＭＦＰに限らず、複数選択の行なわれる機器であればよく、複写機、プリンター、またはファクシミリ装置であってもよい。また、据置き型または携帯型の各種の情報機器に本発明を適用することができる。
【符号の説明】
【００６５】
１    画像形成装置
１０    操作パネル
４１，４２，４３，４４，４５    特定アイコン（アイコン）
４６，４７，４８，４９，５０    特定アイコン（アイコン）
５１，５２，５３，５４，５５    特定アイコン（アイコン）
５６，５７，５８，５９，６０    特定アイコン（アイコン）
６１，６４，６５，６７，８１    特定アイコン（アイコン）
８２，８６，８８，９１，９５    特定アイコン（アイコン）
２０１    ユーザー識別部
２０２    履歴記憶部
２０３    表示制御部
２０４    タッチ形式判定部
２０５    シングルタッチ配列指定部
２０６    マルチタッチ配列指定部
２０７    ペン状態判別部
Ｄ１    履歴情報（判定用の情報）
Ｄ３    動作設定情報（判定用の情報）
Ｄ４    ペン状態情報（判定用の情報）
Ｌ１，Ｌ２，Ｌ３    仮想線
１３    タッチ入力ペン
１４    ペンホルダー
１４１    センサー
【図１】
2013084024.tif 000003
【図２】
2013084024.tif 000004
【図３】
2013084024.tif 000005
【図４】
2013084024.tif 000006
【図５】
2013084024.tif 000007
【図６】
2013084024.tif 000008
【図７】
2013084024.tif 000009
【図８】
2013084024.tif 000010
【図９】
2013084024.tif 000011
【図１０】
2013084024.tif 000012
【図１１】
2013084024.tif 000013
【図１２】
2013084024.tif 000014
【図１３】
2013084024.tif 000015
【図１４】
2013084024.tif 000016
【図１５】
2013084024.tif 000017
【図１６】
2013084024.tif 000018
【図１７】
2013084024.tif 000019
【図１８】
2013084024.tif 000020
【図１９】
2013084024.tif 000021